(57)【特許請求の範囲】
【請求項１】
ワイヤ１の一端を固定保持するワイヤ固定具２と、ワイヤ１の他端をワイヤ固定具２から遠ざかる側へ緊張操作するワイヤ緊張具３を備えているワイヤ緊張装置であって、
ワイヤ固定具２は、ワイヤ１の端部に固定したエンド金具４を受け止める圧縮ばね５およびスラストベアリング６と、エンド金具４、圧縮ばね５、およびスラストベアリング６を収容する筒状のケース７と、ケース７の開口端に装着した取付金具９とを含み、
ワイヤ緊張具３は、ワイヤ１の遊端部をクランプ固定するボールチャック１２と、取付対象に連結具を介して連結固定される取付金具１５とを含み、
ボールチャック１２は、ケース１６の外面に締緩操作用の操作部２４を有し、ケース１６の一端が緊張ねじ１４を介して取付金具１５にねじ込み連結されており、
ワイヤ１を張り渡した状態における緊張ねじ１４のねじ込み代が、圧縮ばね５の圧縮代と同じかこれより大きく設定してあるワイヤ緊張装置。
【請求項２】
各取付金具９・１５の端壁に、取付対象に設けたブラケット２８を挿嵌するための連結穴１０・２５が通設されており、
連結穴１０・２５に挿通したブラケット２８にピン３０を固定して、各取付金具９・１５が取付対象に連結固定してある請求項１記載のワイヤ緊張装置。
【請求項３】
ケース１６の一端に操作部２４が設けられており、
この操作部２４の外面を覆う防護キャップ１３が、ケース１６にねじ込み固定してある請求項１又は２記載のワイヤ緊張装置。
【発明の詳細な説明】
【０００１】
【産業上の利用分野】
この発明は、ワイヤを２点間にたるみなく張り渡すためのワイヤ緊張装置に関する。
【０００２】
【従来の技術】
２点間に張り渡したワイヤのたるみを除去する調整要素としては、ねじやばねが用いられる。例えば実開昭６２−１０９６６９号公報や特開平５−１６４１９５号公報には、引張りコイルばねを調整要素としたワイヤ緊張具が開示されている。圧縮コイルばねでたるみを除去するワイヤ緊張具もある（実開平３−１１８０５３号）。そこではボールチャックが装着されるリテーナとばねとの間にスラストベアリングを介装している。ねじを調整要素とするワイヤ緊張具は、実開昭５７−１２８１５号公報や実開平３−５５７６１号公報に公知である。
【０００３】
【発明が解決しようとする課題】
ばねを調整要素としてワイヤのたるみを除去する形態では、例えばばねを伸長操作し、その一端に連結したボールチャックにワイヤを挿通してクランプするだけで、簡単にしかも速やかにワイヤをぴんと張り渡すことができる。しかし、ワイヤに大きな外力が作用すると、ばねがたわみ変形してその分だけワイヤにたるみを生じやすい。この点、ねじを調整要素とする場合には、ワイヤが伸び変形しない限りたるみを生じることはない。反面、ワイヤの張り渡しに手間を要すること、ねじを締め込む際にワイヤがねじと同行回転してその縒りが解けやすいことなどの欠点を避けられない。
【０００４】
本発明の目的は、調整要素としてばね及びねじの双方を備えていて、ワイヤの張り渡しを簡単にしかも速やかに行いながら、ワイヤを張り渡した後にはたるみを生じることのないワイヤ緊張装置を提供するにある。本発明の目的は、ねじを締め込んでワイヤをぴんと張り渡す際に、ワイヤの縒りが解け、あるいは過剰に捻じられてその強度が低下するのを解消できるワイヤ緊張装置を得るにある。
【０００５】
【課題を解決するための手段】
本発明のワイヤ緊張装置は、図１に示すごとくワイヤ１の一端を固定保持するワイヤ固定具２と、ワイヤ１の他端をワイヤ固定具２から遠ざかる側へ緊張操作するワイヤ緊張具３を備えている。
ワイヤ固定具２は、ワイヤ１の端部に固定したエンド金具４を受け止める圧縮ばね５およびスラストベアリング６と、エンド金具４、圧縮ばね５、およびスラストベアリング６を収容する筒状のケース７と、ケース７の開口端に装着した取付金具９とを含む。ワイヤ緊張具３は、ワイヤ１の遊端部をクランプ固定するボールチャック１２と、取付対象に連結具を介して連結固定される取付金具１５とを含む。
ボールチャック１２は、ケース１６の外面に締緩操作用の操作部２４を有し、ケース１６の一端が緊張ねじ１４を介して取付金具１５にねじ込み連結してある。ワイヤ１を張り渡した状態における緊張ねじ１４のねじ込み代を、圧縮ばね５の圧縮代と同じかこれより大きく設定する。
【０００６】
具体的には、各取付金具９・１５の端壁に、取付対象に設けたブラケット２８を挿嵌するための連結穴１０・２５を通設する。連結穴１０・２５に挿通したブラケット２８にピン３０を固定して、各取付金具９・１５を取付対象に連結固定する。ケース１６の一端に操作部２４を設けてあり、この操作部２４の外面を覆う防護キャップ１３がケース１６にねじ込まれている。
【０００７】
【作用】
ワイヤ１を張り渡す場合には、例えば各取付金具９・１５を取付対象に連結し、これらにワイヤ固定具２およびワイヤ緊張具３を装着して、ワイヤ１を仮張設する。次に、操作部２４に工具を当てがって、ボールチャック１２を緊張ねじ１４を介して取付金具１５にねじ込み、ワイヤ固定具２に設けた圧縮ばね５を全圧縮させて、ワイヤ１がたるむ余地を無くす。
【０００８】
仮張設時には、ワイヤ固定具２に設けた圧縮ばね５が圧縮変形するので、ワイヤ１を容易に引き寄せ操作できる。緊張ねじ１４を完全に締め込んで、圧縮ばね５を全圧縮した状態では、それ以上ワイヤ１を引き寄せ操作できないので、ワイヤ１に外力が作用してもたるむことはない。ワイヤ１に作用するねじり力はスラストベアリング６で逃がすことができる。
取付金具９・１５内にブラケット２８を挿入し、これらをピン３０で連結する構造によれば、ピン３０が取付金具９・１５で隠されるので、いたずらを受けにくい。ケース１６に防護キャップ１３をねじ込み、ケース１６に設けた操作部２４を覆い隠すことも、いたずら防止に役立つ。
【０００９】
【発明の効果】
本発明では、圧縮ばね５を圧縮変形させてワイヤ１を仮張設し、さらにボールチャック１２を取付金具１５にねじ込んで圧縮ばね５を全圧縮させ、たるみを生じる余地のない状態でワイヤ１を張り渡すようにした。従ってワイヤ１を簡単にしかも速やかに張り渡すことができる。ワイヤ１を張り渡した後には、たとえ外力を受けてもワイヤ１がたるむことはなく、ぴんと張った状態を維持し続けることができ、従来のワイヤ緊張具に比べて取り扱いが容易で高度の緊張状態を維持できる。圧縮ばね５の一端をスラストベアリング６を介してケース７で受け止めているので、ワイヤ緊張具３を緊張ねじ１４に沿って締緩操作するとき、ワイヤ１およびエンド金具４がねじられて、ワイヤ１の縒りが解けたり過剰に捻じられることを一掃し、その強度が低下することを解消できる。
【００１０】
【実施例】
図１ないし図６は本発明に係るワイヤ緊張装置の実施例を示す。図１において符号１はワイヤ、２はワイヤ１の一端を固定保持するワイヤ固定具、３はワイヤ１の他端に設けたワイヤ緊張具である。
【００１１】
ワイヤ固定具２は、ワイヤ１の端部にかしめ固定したエンド金具４を受け止める圧縮ばね５およびスラストベアリング６と、これら三者４・５・６を収容する有底筒状のケース７と、ケース７の開口端にねじ８を介して装着した取付金具９とからなる。ケース７、取付金具９、およびエンド金具４はそれぞれステンレス鋼で形成する。エンド金具４は、ワイヤ１に外嵌する軸部４ａと、軸部４ａの一端に設けたフランジ部４ｂとからなり、フランジ部４ｂで圧縮ばね５の一部を受け止める。軸部４ａの長さは、圧縮ばね５の全圧縮寸法と同じか、これより僅かに小さく設定する。圧縮ばね５の他端はケース７の内奥端に装填したスラストベアリング６で受け止める。取付金具９は有底筒状に形成し、その端壁にブラケット２８を挿嵌するための連結穴１０を通設する。ケース７の筒端にはワイヤ通口７ａを設ける。
【００１２】
ワイヤ緊張具３は、ワイヤ１の遊端部をクランプ固定するボールチャック１２と、そのケース１６のワイヤ挿入端側にねじ込み装着した防護キャップ１３と、ケース１６の他端内面に緊張ねじ１４を介してねじ込んだ取付金具１５とからなる。
【００１３】
ボールチャック１２は、内面にテーパー面を有する多段筒状のケース１６と、ケース１６内に組み込んだホルダー１７およびばね１８と、ホルダー１７内に組み込んだ大小２組のボール１９・２０と、ホルダー１７用のロックナット２１などで構成する。ケース１６、ホルダー１７、取付金具１５、および防護キャップ１３は、それぞれステンレス鋼で形成する。ボール１９・２０は図５に示すごとくそれぞれ３個ずつ設けてあり、各ボール１９・２０をホルダー１７の中央に縦通したワイヤ穴２２に臨む状態で、しかも各ボールチャック１９・２０の位相位置が６０度ずつずれる状態で隣接配置する。ワイヤ１を２組のボール対で強固にクランプ固定するためである。
【００１４】
ばね１８は取付金具１５とホルダー１７との間に配置されて、ホルダー１７を先に述べたテーパー面の側へ向かって移動付勢する。ホルダー１７をばね１８に抗してケース１６内へ押し込むと、ボール１９・２０によるクランプ状態を解除でき、この解除移動を阻止するために、ケース１６から突出するホルダー１７の解除操作部にロックナット２１をねじ込んでいる。
【００１５】
防護キャップ１３は、ケース１６と同じ外径の有底筒状体からなり、その筒端にワイヤ通口１３ａを有する。防護キャップ１３をケース１６にねじ込んだ状態では、ロックナット２１および操作部２４の外面を防護キャップ１３で覆えるのでいたずらを受けにくい。防護キャップ１３がねじ込まれるケース１６のねじ部側端に操作部２４を設ける。図３および図４に示すように、操作部２４はねじ軸の対向周面を平行に切除して形成する。この操作部２４にスパナなどの工具を当てがって、緊張ねじ１４を締緩操作する。
【００１６】
取付金具１５は有底筒状に形成し、その端壁にブラケット２８を挿嵌するための連結穴２５を通設する。この取付金具１５の外周面に形成した雄ねじ１４ａと、ケース１６の筒内面に形成した雌ねじ１４ｂとで緊張ねじ１４を構成する。緊張ねじ１４のねじ込み代は、圧縮ばね５の圧縮代と同じか、これより大きく設定する。
【００１７】
図６に示すように隣接する支柱２７・２７間にワイヤ１を張り渡す場合のワイヤ緊張装置の使用例を説明する。まず、ワイヤ固定具２およびワイヤ緊張具３の取付金具９・１５をそれぞれケース７および１６から分離し、さらに防護キャップ１３およびロックナット２１をケース１６から分離しておく。支柱２７・２７にはそれぞれ断面長円状のブラケット２８・２８が対向する状態で溶接してある。各ブラケット２８・２８に取付金具９・１５の連結穴１０・２５を挿通し、ブラケット２８・２８の先端のピン穴にピン３０・３０をそれぞれ打ち込んで、各取付金具９・１５を支柱２７・２７と連結する（図２参照）。
【００１８】
ボールチャック１２のケース１６を、図３に示すように緊張ねじ１４のねじ山の数条がかみ合う状態で取付金具１５にねじ込む。ケース１６、防護キャップ１３、ロックナット２１の順にワイヤ１を挿通し、その遊端部をホルダー１７のワイヤ穴２２に差し込んでクランプ固定する。次にワイヤ固定具２をワイヤ緊張具３から遠ざかる向きに引っ張り操作しながら、ケース７を取付金具９にねじ込み、取付金具９の殆どをケース７内に位置させる。このとき、圧縮ばね５が圧縮変形するので、ワイヤ固定具２を容易に引き寄せ操作できる。
【００１９】
上記のようにワイヤ１を仮張設した後、ロックナット２１をホルダー１７にねじ込んで、ホルダー１７が解除方向へ移動するのを阻止する。この状態で操作部２４にスパナ等の工具を当てがって、ボールチャック１２を取付金具１５にねじ込み、ワイヤ１を徐々に緊張させる。最終的には、圧縮ばね５が全圧縮するまでケース１６をねじ込み操作して、ワイヤ１にたるみが生じる余地を無くす。なお、圧縮ばね５の全圧縮状態は、ケース１６のねじ込み力が急激に増加することができる。もちろん、上記とは異なる手順でワイヤ１を張り渡してもよい。先に述べた圧縮ばね５の圧縮代とは、ワイヤ１を仮張設したのち圧縮ばね５が全圧縮するまでのたわみ量、あるいはエンド金具４の軸部４ａがスラストベアリング６に接当するまでの圧縮ばね５のたわみ量のいずれかを意味する。
【００２０】
ケース１６をねじ込み操作する過程で、ワイヤ１にはねじり力が作用する。しかし、そのエンド金具４が圧縮ばね５を介してスラストベアリング６で受け止められているので、ねじ力はスラストベアリング６の回転動作によって解消され、ワイヤ１がねじり変形することはない。最後に防護キャップ１３をケース１６に完全にねじ込んで、操作部２４およびロックナット２１を覆い隠し、いたずらの余地を無くす。ブラケット２８と各取付金具９・１５を連結するピン３０・３０が、それぞれ取付金具９・１５の内部に収容されることも、いたずらを排除することに役立っている。
【００２１】
図７はワイヤ緊張具３の支柱２７に対する連結構造を変更した別実施例を示す。そこでは、取付金具１５にボルト３１を挿通し、このボルト３１をブラケット２８に挿通したのちナット３２で締結することによって、取付金具１５を支柱２７に固定した。この連結構造によれば、ナット３２の締め込み量を調整してワイヤ１の張り具合を調整し、あるいは外気温の変化に伴うワイヤ１のたるみを除去できる。
【００２２】
上記以外にスラストベアリング６は、エンド金具４のフランジ部４ｂと圧縮ばね５との間に配置してもよい。緊張ねじ１４は、ケース１６の外周面の雄ねじと、取付金具１５の内周面の雌ねじとで構成することができる。本発明のワイヤ緊張具は、床と天井との間や壁面に沿ってワイヤを固定する場合などにも適用できる。ワイヤ１の張力や直径が小さい場合には、一組のボールを備えた通常形態のボールチャック１２でワイヤ１をクランプ固定してもよい。
【図面の簡単な説明】
【図１】ワイヤ緊張装置の縦断面図である。
【図２】ワイヤ固定具の縦断面図である。
【図３】ワイヤ緊張具の使用状態を示す一部破断正面図である。
【図４】図１におけるＡ−Ａ線断面図である。
【図５】図１におけるＢ−Ｂ線断面図である。
【図６】ワイヤの使用態様例を示す正面図である。
【図７】ワイヤ固定具の別実施例を示す縦断面図である。
【符号の説明】
１  ワイヤ
２  ワイヤ固定具
３  ワイヤ緊張具
４  エンド金具
５  圧縮ばね
６  スラストベアリング
７  ケース
９  取付金具
１２  ボールチャック
１４  緊張ねじ
１５  取付金具
【図１】
0003544726.tif 000002
【図２】
0003544726.tif 000003
【図３】
0003544726.tif 000004
【図４】
0003544726.tif 000005
【図５】
0003544726.tif 000006
【図６】
0003544726.tif 000007
【図７】
0003544726.tif 000008